【手続補正書】
【提出日】平成19年9月19日(2007.9.19)
【手続補正１】
【補正対象書類名】明細書
【補正対象項目名】発明の名称
【補正方法】変更
【補正の内容】
【発明の名称】広告データ供給方法、広告データ再生装置、広告データ再生システム、スポンサーシステム、および記録媒体
【手続補正２】
【補正対象書類名】明細書
【補正対象項目名】特許請求の範囲
【補正方法】変更
【補正の内容】
【特許請求の範囲】
【請求項１】
大容量記録媒体に広告データ記録用の領域を設け、その領域にあらかじめ、番組データ視聴時に再生するための広告データを記録し、その後前記大容量記録媒体を供給することを特徴とする広告データ供給方法。
【請求項２】
広告データ記録用の空き領域を設けた大容量記録媒体を供給し、その供給後、前記大容量記録媒体の前記空き領域に、番組データ視聴時に再生するための広告データを記録することを特徴とする広告データ供給方法。
【請求項３】
前記広告データ記録用の領域にあらかじめ記録された前記広告データを更新する場合は、広告データ専用のチャンネルから取り込む、番組データと同じチャンネルを通じて、前記番組データの空き時間の間に取り込む、番組データに付加された広告データから抽出して取り込む、及び番組データの放送とは別系統の通信システムを通じて取り込む、のうちのいずれかの方法、あるいはそれらの全部または一部を組み合わせた方法で供給することを特徴とする請求項１に記載の広告データ供給方法。
【請求項４】
前記広告データは、広告データ専用のチャンネルから取り込む、番組データと同じチャンネルを通じて、前記番組データの空き時間の間に取り込む、番組データに付加された広告データから抽出して取り込む、及び番組データの放送とは別系統の通信システムを通じて取り込む、のうちのいずれかの方法、あるいはそれらの全部または一部を組み合わせた方法で供給することを特徴とする請求項２に記載の広告データ供給方法。
【請求項５】
前記空き領域は容量を可変できることを特徴とする請求項２、又は４に記載の広告データ供給方法。
【請求項６】
請求項１、または２の前記広告データ供給方法の前記大容量記録媒体から前記広告データを読み出し、所定の決まった時間、又は常時、受信中の番組データの表示画面の一部領域に、前記広告データを表示する広告データ再生手段を備えたことを特徴とする広告データ再生装置。
【請求項７】
請求項１、または２の前記広告データ供給方法の前記大容量記録媒体から前記広告データを読み出し、受信中の番組データの放送時に挿入されている広告データ、あるいは空きデータの一部または全部を、前記記録された広告データに置き換えて再生する広告データ再生手段を備えたことを特徴とする広告データ再生装置。
【請求項８】
前記広告データの置き換えは、前記番組データのパケット・ヘッダに設けられた広告開始・終了フラグを利用して行うことを特徴とする請求項７に記載の広告データ再生装置。
【請求項９】
請求項１、または２の前記広告データ供給方法の前記大容量記録媒体の前記広告データ領域から前記広告データを読み出し、前記大容量記録媒体に記録されている番組データの再生中に、所定の決まった時間、又は常時、前記番組データの表示画面の一部領域に、前記広告データを表示する広告データ再生手段を備えたことを特徴とする広告データ再生装置。
【請求項１０】
請求項１、または２の前記広告データ供給方法の前記大容量記録媒体の前記広告データ領域から前記広告データを読み出し、前記大容量記録媒体に記録されている番組データの再生中に、その再生している番組データの中に、前記広告データを、挿入して再生する広告データ再生手段を備えたことを特徴とする広告データ再生装置。
【請求項１１】
前記広告データ再生手段は、前記番組データ中に既に付加されている広告データを、前記広告データ領域の広告データに置き換えて再生することを特徴とする請求項９に記載の広告データ再生装置。
【請求項１２】
前記広告データは、広告データ専用のチャンネルから取り込む、番組データと同じチャンネルを通じて、前記番組データの空き時間の間に取り込む、番組データに付加された広告データから抽出して取り込む、及び番組データの放送とは別系統の通信システムを通じて取り込む、のうちのいずれかの方法、あるいはそれらの全部または一部を組み合わせた方法で、前記広告データ領域に記録される、あるいは更新されることを特徴とする請求項６から１１までのいずれかに記載の広告データ再生装置。
【請求項１３】
前記広告データの挿入、又は置き換えは、前記番組データのパケット・ヘッダに設けられた広告開始・終了フラグにより行うことを特徴とする請求項１０、または１１に記載の広告データ再生装置。
【請求項１４】
前記番組データのパケット・ヘッダに、広告データの表示を阻止させないための識別子を付加したことを特徴とする請求項６から１３までのいずれかに記載の広告データ再生装置。
【請求項１５】
視聴者の広告に対する関心情報を入力する関心情報入力手段を備えたことを特徴とする請求項６から１４までのいずれかに記載の広告データ再生装置。
【請求項１６】
再生した広告データのＩＤ情報、あるいは再生せずに早送りやスキップした広告データのＩＤ情報を管理する広告情報管理手段と、少なくともそのＩＤ情報を内部に蓄積し、あるいは、外部へ送信する広告情報蓄積・送信手段とを備えたことを特徴とする請求項６から１５までのいずれかに記載の広告データ再生装置。
【請求項１７】
所定の条件が設定されている場合は、広告データを再生せずに早送りやスキップができることを特徴とする請求項１６に記載の広告データ再生装置。
【請求項１８】
請求項１６または１７の前記広告データ再生装置と、
前記広告データ再生装置の前記広告情報蓄積・送信手段から広告の再生に関する情報を受け、その受けた情報に基づいて、広告データを管理・送信する広告管理センターとを備えたことを特徴とする広告データ再生システム。
【請求項１９】
請求項１６、または１７の前記広告データ再生装置の前記広告情報蓄積・送信手段から、あるいは、請求項１８の前記広告データ再生システムの前記広告管理センターから、受け取った前記広告の再生に関する情報に基づき、広告の内容及び／または広告を供給するユーザを決定するスポンサー装置を備えたことを特徴とするスポンサーシステム。
【請求項２０】
請求項３または４に記載の広告データ供給方法の、前記いずれかの方法、あるいは前記それらの全部または一部を組み合わせた方法をコンピュータに実行させるためのプログラムを記録した記録媒体であって、コンピュータにより処理可能な記録媒体。
【請求項２１】
請求項１２に記載の広告データ再生装置の、前記いずれかの方法、あるいは前記それらの全部または一部を組み合わせた方法で、前記広告データを前記広告データ領域に記録する手段、あるいは前記広告データを更新する手段、としてコンピュータを機能させるためのプログラムを記録した記録媒体であって、コンピュータにより処理可能な記録媒体。
【手続補正３】
【補正対象書類名】明細書
【補正対象項目名】０００９
【補正方法】変更
【補正の内容】
【０００９】
【課題を解決するための手段】
上記課題を解決するため、第１の本発明は、大容量記録媒体に広告データ記録用の領域を設け、その領域にあらかじめ、番組データ視聴時に再生するための広告データを記録し、その後前記大容量記録媒体を供給することを特徴とする広告データ供給方法である。
【手続補正４】
【補正対象書類名】明細書
【補正対象項目名】００１０
【補正方法】変更
【補正の内容】
【００１０】
第２の本発明は、広告データ記録用の空き領域を設けた大容量記録媒体を供給し、その供給後、前記大容量記録媒体の前記空き領域に、番組データ視聴時に再生するための広告データを記録することを特徴とする広告データ供給方法である。
【手続補正５】
【補正対象書類名】明細書
【補正対象項目名】００１１
【補正方法】変更
【補正の内容】
【００１１】
第３の本発明は、前記広告データ記録用の領域にあらかじめ記録された前記広告データを更新する場合は、広告データ専用のチャンネルから取り込む、番組データと同じチャンネルを通じて、前記番組データの空き時間の間に取り込む、番組データに付加された広告データから抽出して取り込む、及び番組データの放送とは別系統の通信システムを通じて取り込む、のうちのいずれかの方法、あるいはそれらの全部または一部を組み合わせた方法で供給することを特徴とする第１の本発明の広告データ供給方法である。
【手続補正６】
【補正対象書類名】明細書
【補正対象項目名】００１２
【補正方法】変更
【補正の内容】
【００１２】
第４の本発明は、前記広告データは、広告データ専用のチャンネルから取り込む、番組データと同じチャンネルを通じて、前記番組データの空き時間の間に取り込む、番組データに付加された広告データから抽出して取り込む、及び番組データの放送とは別系統の通信システムを通じて取り込む、のうちのいずれかの方法、あるいはそれらの全部または一部を組み合わせた方法で供給することを特徴とする第２の本発明の広告データ供給方法である。
【手続補正７】
【補正対象書類名】明細書
【補正対象項目名】００１３
【補正方法】変更
【補正の内容】
【００１３】
第５の本発明は、前記空き領域は容量を可変できることを特徴とする第２または第４の本発明の広告データ供給方法である。
【手続補正８】
【補正対象書類名】明細書
【補正対象項目名】００１４
【補正方法】変更
【補正の内容】
【００１４】
第６の本発明は、第１または第２の本発明の広告データ供給方法の前記大容量記録媒体から前記広告データを読み出し、所定の決まった時間、又は常時、受信中の番組データの表示画面の一部領域に、前記広告データを表示する広告データ再生手段を備えたことを特徴とする広告データ再生装置である。
【手続補正９】
【補正対象書類名】明細書
【補正対象項目名】００１５
【補正方法】変更
【補正の内容】
【００１５】
第７の本発明は、第１または第２の本発明の広告データ供給方法の前記大容量記録媒体から前記広告データを読み出し、受信中の番組データの放送時に挿入されている広告データ、あるいは空きデータの一部または全部を、前記記録された広告データに置き換えて再生する広告データ再生手段を備えたことを特徴とする広告データ再生装置である。
【手続補正１０】
【補正対象書類名】明細書
【補正対象項目名】００１６
【補正方法】変更
【補正の内容】
【００１６】
第８の本発明は、前記広告データの置き換えは、前記番組データのパケット・ヘッダに設けられた広告開始・終了フラグを利用して行うことを特徴とする第７の本発明の広告データ再生装置である。
【手続補正１１】
【補正対象書類名】明細書
【補正対象項目名】００１７
【補正方法】変更
【補正の内容】
【００１７】
第９の本発明は、第１または第２の本発明の広告データ供給方法の前記大容量記録媒体の前記広告データ領域から前記広告データを読み出し、前記大容量記録媒体に記録されている番組データの再生中に、所定の決まった時間、又は常時、前記番組データの表示画面の一部領域に、前記広告データを表示する広告データ再生手段を備えたことを特徴とする広告データ再生装置である。
【手続補正１２】
【補正対象書類名】明細書
【補正対象項目名】００１８
【補正方法】変更
【補正の内容】
【００１８】
第１０の本発明は、第１または第２の本発明の広告データ供給方法の前記大容量記録媒体の前記広告データ領域から前記広告データを読み出し、前記大容量記録媒体に記録されている番組データの再生中に、その再生している番組データの中に、前記広告データを、挿入して再生する広告データ再生手段を備えたことを特徴とする広告データ再生装置である。
【手続補正１３】
【補正対象書類名】明細書
【補正対象項目名】００１９
【補正方法】変更
【補正の内容】
【００１９】
第１１の本発明は、前記広告データ再生手段は、前記番組データ中に既に付加されている広告データを、前記広告データ領域の広告データに置き換えて再生することを特徴とする第９の本発明の広告データ再生装置である。
【手続補正１４】
【補正対象書類名】明細書
【補正対象項目名】００２０
【補正方法】変更
【補正の内容】
【００２０】
第１２の本発明は、前記広告データは、広告データ専用のチャンネルから取り込む、番組データと同じチャンネルを通じて、前記番組データの空き時間の間に取り込む、番組データに付加された広告データから抽出して取り込む、及び番組データの放送とは別系統の通信システムを通じて取り込む、のうちのいずれかの方法、あるいはそれらの全部または一部を組み合わせた方法で、前記広告データ領域に記録される、あるいは更新されることを特徴とする第６から第１１までのいずれかの本発明の広告データ再生装置である。
【手続補正１５】
【補正対象書類名】明細書
【補正対象項目名】００２１
【補正方法】変更
【補正の内容】
【００２１】
第１３の本発明は、前記広告データの挿入、又は置き換えは、前記番組データのパケット・ヘッダに設けられた広告開始・終了フラグにより行うことを特徴とする第１０または第１１の本発明の広告データ再生装置である。
【手続補正１６】
【補正対象書類名】明細書
【補正対象項目名】００２２
【補正方法】変更
【補正の内容】
【００２２】
第１４の本発明は、前記番組データのパケット・ヘッダに、広告データの表示を阻止させないための識別子を付加したことを特徴とする第６から第１３までのいずれかの本発明の広告データ再生装置である。
【手続補正１７】
【補正対象書類名】明細書
【補正対象項目名】００２３
【補正方法】変更
【補正の内容】
【００２３】
第１５の本発明は、視聴者の広告に対する関心情報を入力する関心情報入力手段を備えたことを特徴とする第６から第１４までのいずれかの本発明の広告データ再生装置である。
【手続補正１８】
【補正対象書類名】明細書
【補正対象項目名】００２４
【補正方法】変更
【補正の内容】
【００２４】
第１６の本発明は、再生した広告データのＩＤ情報、あるいは再生せずに早送りやスキップした広告データのＩＤ情報を管理する広告情報管理手段と、少なくともそのＩＤ情報を内部に蓄積し、あるいは、外部へ送信する広告情報蓄積・送信手段とを備えたことを特徴とする第６から第１５までのいずれかの本発明の広告データ再生装置である。
【手続補正１９】
【補正対象書類名】明細書
【補正対象項目名】００２５
【補正方法】変更
【補正の内容】
【００２５】
第１７の本発明は、所定の条件が設定されている場合は、広告データを再生せずに早送りやスキップができることを特徴とする第１６の本発明の広告データ再生装置である。
【手続補正２０】
【補正対象書類名】明細書
【補正対象項目名】００２６
【補正方法】変更
【補正の内容】
【００２６】
第１８の本発明は、第１６または第１７の本発明の広告データ再生装置と、
前記広告データ再生装置の前記広告情報蓄積・送信手段から広告の再生に関する情報を受け、その受けた情報に基づいて、広告データを管理・送信する広告管理センターとを備えたことを特徴とする広告データ再生システムである。
【手続補正２１】
【補正対象書類名】明細書
【補正対象項目名】００２７
【補正方法】変更
【補正の内容】
【００２７】
第１９の本発明は、第１６または第１７の本発明の広告データ再生装置の前記広告情報蓄積・送信手段から、あるいは、第１８の本発明の広告データ再生システムの前記広告管理センターから、受け取った前記広告の再生に関する情報に基づき、広告の内容及び／または広告を供給するユーザを決定するスポンサー装置を備えたことを特徴とするスポンサーシステムである。
【手続補正２２】
【補正対象書類名】明細書
【補正対象項目名】００２８
【補正方法】変更
【補正の内容】
【００２８】
第２０の本発明は、第３または第４の本発明の広告データ供給方法の、前記いずれかの方法、あるいは前記それらの全部または一部を組み合わせた方法をコンピュータに実行させるためのプログラムを記録した記録媒体であって、コンピュータにより処理可能な記録媒体である。
【手続補正２３】
【補正対象書類名】明細書
【補正対象項目名】００２９
【補正方法】変更
【補正の内容】
【００２９】
第２１の本発明は、第１２の本発明の広告データ再生装置の、前記いずれかの方法、あるいは前記それらの全部または一部を組み合わせた方法で、前記広告データを前記広告データ領域に記録する手段、あるいは前記広告データを更新する手段、としてコンピュータを機能させるためのプログラムを記録した記録媒体であって、コンピュータにより処理可能な記録媒体である。
【手続補正２４】
【補正対象書類名】明細書
【補正対象項目名】００７７
【補正方法】変更
【補正の内容】
【００７７】
ユーザから広告を見たり、場合によっては広告の早送りやスキップした情報、ユーザの年齢や性別などの個人情報等が管理センター１７に、ＳＴＢ１内蔵のモデム１６を通じて送信されてくると、管理センター１７はその集計結果等をスポンサー１８に送信する。